(57)【要約】【課題】陳列の変更に素早く対応でき、安全な構造であって、アイキャッチ性に優れ、売場のイメージを損なうことのない表示装置を提供すること。【解決手段】陳列棚における構成部材の上部と下部にそのフック状の係止部により取り付けられた一対の張出腕２０と、各張出腕２０の前端にそれぞれ高さ位置が調整可能な状態で取り付けられた逆Ｌ字型の丸棒からなる表示体保持具３１，３２と、これらの表示体保持具３１，３２により上下方向に張設された細長シート状の表示体４０とからなる。【選択図】        図１
2004187760.tif 000002
【特許請求の範囲】
【請求項１】
陳列棚における構成部材の上部と下部にそのフック状の係止部により取り付けられた一対の張出腕と、各張出腕の前端にそれぞれ高さ位置が調整可能な状態で取り付けられた逆Ｌ字型の丸棒からなる表示体保持具と、これらの表示体保持具により上下方向に張設された細長シート状の表示体とからなることを特徴とする陳列棚用表示装置。
【請求項２】
張出腕の先端に筒状体を取り付け、その筒状体に表示体保持具を挿入固定したことを特徴とする請求項１に記載の陳列棚用表示装置。
【発明の詳細な説明】
【０００１】
【発明の属する技術分野】
本発明は、デパート、スーパーマーケット、コンビニエンスストア、ホームセンター等の商品売場において、商品陳列棚に陳列している商品の分類を示したり、売れ筋商品の所在を告知するために特定商品の種類を示したりする等、商品に関する情報を表示する陳列棚用表示装置に関する。
【０００２】
【従来の技術】
従来、デパート、スーパーマーケット、コンビニエンスストア、ホームセンター等の商品売場において、陳列棚に陳列されている商品に関する情報は、陳列棚の前端部に値札等の表示カードを配置して示すのが一般的である。ここに開示される商品に関する情報とは、棚の所定幅の領域に陳列されている同一商品からなる商品群毎に設定された共通の情報、例えば、５段仕様の陳列棚の上から２番目の棚の右半分を洗剤メーカーＸ社の洗剤Ｘａが２０個の商品群をなし奥行きに５個で４列の幅を占めて陳列されている場合には洗剤Ｘａの商品名、値段、キャッチコピー、商品管理用バーコード等の個別具体的な情報を、主に商品群毎に一つ表示しているが、商品売場を巡る客が、いずれの棚にいかなる分類の商品群を陳列しているかを一目で認識させるのは困難である（例えば、特許文献１参照）。
【０００３】
例えば、陳列棚を横目に見て通路に沿って歩いている客が、通路に沿って並んでいる陳列棚Ａ，Ｂ，Ｃ，Ｄには化粧品が陳列されているとか、通路に沿って並んでいる陳列棚Ｅ，Ｆ，Ｇ，Ｈにはクリーニング関連商品が陳列されており更に陳列棚Ｅの全段には衣料用洗剤が陳列されているとか、陳列棚に陳列された商品について、化粧品・クリーニング関連商品等の大分類に関する情報、衣料用洗剤・柔軟剤等の中分類に関する情報等の陳列された商品の分類に関する情報を陳列棚の前端部に様々な仕様にて配置された表示カードで認識するには、表示そのものが小さく困難である。これは、同一カテゴリー（クリーニング関連商品）に属する商品における売れ筋商品（例えば、衣料用洗剤や柔軟剤などの一般家庭における消費量の多い商品）の陳列位置を客に告知するために特定商品の種類を示すのについても同様である。これは、陳列棚の前端部における商品の取り出しに支障が生じないようにするために必然的に生じる表示カード等の表示具のサイズ面の制約によるものである。したがって、現実には、客は陳列された商品のパッケージ等を俯瞰して、そのパッケージの形・パッケージの色・パッケージに大きく示された商品名を手掛かりとして、この棚には化粧品（シェービングクリーム）が並んでいる、この棚の全段には液体洗剤（売れ筋商品）が並んでいる等と認識している。
【０００４】
そこで、このような商品カードに表示される商品名・価格等の同一商品からなる商品群毎に設定された共通の情報とは別の情報、具体的には、陳列している商品の分類を示したり、売れ筋商品の所在を告知するために特定商品のみに限ってその分類を示したりする手段として、同じ分類に属する商品群（Ｘ社の衣料用洗剤Ｘａが２０個、Ｘ社の衣料用洗剤Ｘｂが２０個、Ｙ社の衣料用洗剤Ｙａが２０個…）を揃えて、少なくとも同じ棚には同じ分類に属する商品群が並ぶように、できれば同じ陳列棚を構成する全ての棚には同じ分類に属する商品群が並ぶように、商品群毎にまとめて商品を並べた陳列棚を構成し、この陳列棚の正面上方に通路に平行する方向を向いた看板を天井から吊るして、この看板に表示された情報によって、この看板の下方の陳列棚に並べられた商品の分類等を示したり、或いは陳列棚と通路の間に看板を床面に置いて、この看板の奥方の陳列棚に並べられた商品の分類等を示したりするのが一般的である。このようなものとして、陳列棚の前端部から通路側にホルダーを延伸させ、このホルダーに客と向き合う方向、すなわち陳列棚前端部と直交する方向に表示カードを配置することも提案されている（例えば、特許文献２参照）。
【０００５】
しかし、天井に吊り下げる看板は、商品売場における商品陳列の変更に柔軟に対応することができない。また、床置きの看板は商品陳列の変更に柔軟に対応することはできるが、歩行中の客、特に子供と衝突等の人身事故につながるので安全面での問題が大きい。これに対して、特許文献１の表示カードは、これらの問題点をクリアするものの、表示カード自体を大きくすることが難しく、看板がクリアした一目で客に商品の分類等を認識させるという課題を完全に解決し得るものではない。
【０００６】
【特許文献１】
実開平５−４１８２号公報
【特許文献２】
実開平５−２９０７３号公報
【０００７】
【発明が解決しようとする課題】
本発明者は、これらの実状に鑑みて鋭意検討した結果、デパート、スーパーマーケット、コンビニエンスストア、ホームセンター等の商品売場において、商品陳列棚に陳列している全ての商品の分類を表示したり、売れ筋商品の所在を告知するために特定商品の分類のみを表示する表示装置を開発するにあたっては、以下の５点の課題を解決し得るものでなければならないとの結論に達した。
【０００８】
すなわち、第１の課題は、商品売場において既存設備の改造や工事をすることなく、容易に設置可能な構造とし、陳列の変更に素早く対応できるものとしなければならないということであり、第２の課題は、表示装置と客が衝突して人身事故を引き起こすことがないよう、安全な構造を採用しなければならないということであり、第３の課題は、売場内の通路を歩行中の客が一目で認識できる、アイキャッチ性の優れたものでなければならないということであり、第４の課題は、店側の要望に応じて、棚の所望の位置、所望の高さに取り付けられるものでなければならないということであり、第５の課題は、表示装置が商品を陳列する商品売場のイメージを損なうものであってはならないということである。
【０００９】
【課題を解決するための手段】
上記の課題を解決するため、本発明の陳列棚用表示装置は、陳列棚における構成部材の上部と下部にそのフック状の係止部により取り付けられた一対の張出腕と、各張出腕の前端にそれぞれ高さ位置が調整可能な状態で取り付けられた逆Ｌ字型の丸棒からなる表示体保持具と、これらの表示体保持具により上下方向に張設された細長シート状の表示体とからなることを特徴としている。
【００１０】
【発明の実施の形態】
以下、本発明の実施の形態について図面を参照しながら詳細に説明する。
【００１１】
図１は本発明に係る陳列棚用表示装置の一例を商品棚に設置した状態で示す側面図、図２は上側の張出腕を破断状態で拡大して示す斜視図、図３は表示体を支持する部分を拡大して示す斜視図、図４は上側の張出腕の別形態を破断状態で拡大して示す斜視図でである。
【００１２】
本発明の表示装置を設置する陳列棚は一般的なものでよく、その形状等に特に限定はない。図示の陳列棚は、前面縦方向に一定間隔で係止孔が開いた左右２本の支柱１０と、その各支柱１０に取り付けられる支持腕１１及び同じ高さにある支持腕１１に載置される棚板１２と、さらに一番下の棚を構成する基台１３とからなる。
【００１３】
そして、図示の表示装置は、この陳列棚の支柱１０を利用して設置されるもので、支柱１０の上部と下部に取り付けられた一対の張出腕２０と、各張出腕２０の前端にそれぞれ高さ位置が調整可能な状態で取り付けられた表示体保持具３１，３２と、これらの表示体保持具３１，３２により上下方向に張設された細長シート状の表示体４０とで構成されている。したがって、複数台の陳列棚が一列に並ぶ通常の販売状態では、本発明の表示装置は隣接する陳列棚同士の側面が接触する位置の近傍に配置されることになる。
【００１４】
張出腕２０は、図２に示すように、金属製の細長い板状物で、その後端にフック状の係止部２１を有しており、この係止部２１は、支柱１０の前面にある係止孔に嵌合することで、張出腕２０は支柱１０に固定され、最終的に表示装置全体はこの上下一対の張出腕２０により陳列棚に着脱可能に固定されることになる。なお、張出腕の固定については、必ずしも陳列棚の支柱を利用する形態に限るものではなく、棚裏面の支柱間に設けられた横板を利用する場合もあり、このような場合、張出腕の係止部はその横板の上側に形成された凹部に引っ掛けるフック状のものでもよい。
【００１５】
また、張出腕２０の後端に設けたフック状の係止部２１は支柱１０の前面に上下方向に多数形成された係止孔に嵌合するもので、この係止孔は同じ大きさをしているので、図２に示す２個のフック状の係止部２１も同じ大きさにしているが、棚の奥にある支柱１０に張出腕２０を取り付ける場合、係止孔にフック状の係止部２１がスムーズに嵌め込めない場合がある。かかる問題を解決する手段として、図４に示す構造も採用し得る。
【００１６】
図４に示す張出腕２０では、上側のフック状の係止部２１が形成する嵌合領域が大きく形成されており、この大きな嵌合領域は矯正治具（本体２４、ボルト２５、ナット２６）を取り付ける構造となっており、取付け用の孔２７も形成されている。そして、矯正治具本体２４を嵌合領域に配してボルト２５とナット２６で固定することにより、嵌合領域の大きさを微調整し得る。これにより、張出腕２０がスムーズに取り付けられない場合に、ボルト２５とナット２６を緩めて、矯正治具本体２４を前方にずらしてボルト２５とナット２６を締めて固定し、多少余裕のある嵌合領域を形成して張出腕２０を取り付けることで、スムーズな取付けが可能になる。なお、矯正治具本体２４は２枚の板の後端を梁で接続した構造になっており、張出腕２０の取付け用の孔２７に進退自在に固定できるように、２枚の板には長孔２８が形成されており、この長孔２８にボルト２５とナット２６を導く皿穴２９が形成されている。ボルト２５の頭の部分は皿穴２９に一致する断面台形状をなし、ナット２６は六角柱の先端部を皿穴２９に一致するように細く加工したものであり、頭の部分にはマイナスドライバーを差し込むための一条の溝が形成されている。
【００１７】
また、張出腕２０の前端には筒状体２２が溶接で取り付けられており、その筒状体２２には表示体保持具３１（３２）を挿入することができ、この筒状体２２の側面にはネジ２３が取り付けられており、挿入された表示体保持具３１を所望の高さに固定することができる。なお、筒状体２２の内側にゴムを貼っておき、力をかけて押し込めば所定位置まで挿入できるが、ゴムの反発力で締め付けられ、表示体４０を吊り下げた程度の重みでは動かなくするという構造でもよい。或いは、理科の実験装置で使用するフラスコを挟んで固定するようなクリップ構造を採るようにしてもよい。
【００１８】
図２に示す張出腕２０は次のようにして製作する。まず、厚さ３ｍｍの鉄板から筒状体以外の本体を切り出し、そのエッジの面取りを行なう。次に、厚さが２ｍｍで外径が１０ｍｍの鉄パイプを３０ｍｍ長さに切断した筒状体２２を制作し、この筒状体２２の中央の位置に３ｍｍのネジ孔加工（孔あけ、タップ立て）を行なう。次いで、加工済みの本体と筒状体２２を溶接して固定する。続いて、所定の色に塗装して、ネジ孔には別途準備した３ｍｍネジを取り付ける。
【００１９】
表示体保持具３１，３２は、図３に拡大して示すように逆Ｌ字型の丸棒で、安全のためと表示体４０の取付やすさ更に上側の表示体保持具３１に関しては表示体の抜け防止の点から水平部分の先端に球体を取り付けた構造をしている。なお、この先端の球体に関しては製造コスト削減のため、単に丸棒の先端部分にビニール製のカバーを装着するものであっても同様の効果を果たす。そして、下側の表示体保持具３２には、その水平部分に洗濯バサミのような固定治具３３が取り付けられている。図示の表示体保持具３１，３２は、直径が３ｍｍより小さい丸棒を折り曲げてＬ字型の丸棒を２本作成し、適宜、水平部分の先端側に球状体を溶接固定するかビニール製カバーを被せるかして、それらを張出腕２０と同じ色に塗装することで作製する。また、下側の表示体保持具３２となる逆Ｌ字型の丸棒には、水平部分に固定治具３３を固定する。
【００２０】
表示体４０は、縦長シート状で、上端のみが筒状になっている。そして、上側の表示体保持具３１における垂直部分を張出腕２０の筒状体２２に固定し、その水平部分を表示体４０の上端の筒状部分に挿入した状態で吊下げているとともに、下側の表示体保持具３２の垂直部分を張出腕２０の筒状体２２に固定し、その水平部分の固定治具３２により表示体４０の下端を挟んで固定している。
【００２１】
この表示体４０は、可撓性のある布、紙、樹脂シート、或いはこれらを複合したシートを用いて製作する。具体的には、シートに商品の分類や売れ筋商品の分類を示す印刷を施して所定のサイズ（ここでは、長方形ではなく、デザイン上の理由から上辺が下辺より短くした台形）に切断した後、上端を折り返して縫製、接着などにより筒状部分を製作する。
【００２２】
なお、表示体の上下端ともに筒状部分を設け、上下の表示体保持具を逆Ｌ字型の丸棒だけにする仕様としてもよいし、或いは、表示体の上下端ともに筒状部分を設けないで、上下の表示体保持具を固定治具を装備する仕様としてもよいし、或いは、表示体の下端にのみに筒状部分を設け、上側の表示体保持具を固定治具を装備する仕様としてもよい。
【００２３】
次に、本発明の陳列棚用表示装置の設置方法の一例を説明するとは次のようである。
【００２４】
ここでは、５段の陳列棚３０を５台並べて２５個の棚を形成し、それらの棚にクリーニング関連商品を陳列する場合を例に挙げて説明する。
この棚に陳列するクリーニング関連商品は、７つの分類（Ａ：部分洗い、Ｂ：衣料用洗剤、Ｃ：自然派洗剤、Ｄ：洗濯補助剤、Ｅ：おしゃれ着用洗剤、Ｆ：漂白剤、Ｇ：柔軟剤）に区分されるものとし、１つの棚には同じ分類の商品をまとめて配置するものである。更に、商品１個の陳列状態で棚を占める面積はサイズは同一でセット売りはないものとし、商品は奥行きに５個並べて１列をなし、棚には８列並べることができ、２５個の棚には１０００個の商品を陳列することができるとする。
【００２５】
まず、棚に陳列するクリーニング関連商品は、全部で１０００個あり、メーカーＸ、Ｙ、Ｚ三社から納入されるとして、倉庫にメーカー別に収納されており、商品の内訳は、部分洗い洗剤ＡＸ１が４０個、部分洗い洗剤ＡＸ２が４０個、部分洗い洗剤ＡＸ３が４０個、衣料用洗剤ＢＸ１が４０個、衣料用洗剤ＢＸ２が４０個、衣料用洗剤ＢＸ３が４０個、自然補助剤ＣＸ１が２０個、自然補助剤ＣＸ２が２０個、自然補助剤ＣＸ３が２０個、自然補助剤ＣＸ４が２０個、おしゃれ着用洗剤ＥＸ１が８０個、おしゃれ着用洗剤ＥＸ２が８０個、漂白剤ＦＸ１が２０個、柔軟剤ＧＸ１が２０個、柔軟剤ＧＸ２が２０個、柔軟剤ＧＸ３が２０個、柔軟剤ＧＸ４が２０個、部分洗い洗剤ＡＹ１が２０個、部分洗い洗剤ＡＹ２が２０個、衣料用洗剤ＢＹ１が２０個、衣料用洗剤ＢＹ２が２０個、衣料用洗剤ＢＹ３が２０個、洗濯補助剤ＤＹ１が４０個、漂白剤ＦＹ１が２０個、柔軟剤ＧＹ１が２０個、柔軟剤ＧＹ２が２０個、部分洗い洗剤ＡＺ１が２０個、部分洗い洗剤ＡＺ２が２０個、衣料用洗剤ＢＺ１が２０個、自然補助剤ＣＺ１が２０個、自然補助剤ＣＺ２が２０個、洗濯補助剤ＤＺ１が２０個、洗濯補助剤ＤＺ２が２０個、柔軟剤ＧＺ１が２０個、柔軟剤ＧＺ２が２０個、柔軟剤ＧＺ３が４０個ある。
【００２６】
次に、これらの商品群３６群で総計１０００個の商品を、商品の種類を指標（第一の情報）として区分すると、Ａ：部分洗い洗剤は「部分洗い洗剤ＡＸ１が４０個、部分洗い洗剤ＡＸ２が４０個、部分洗い洗剤ＡＸ３が４０個、部分洗い洗剤ＡＹ１が２０個、部分洗い洗剤ＡＹ２が２０個、部分洗い洗剤ＡＺ１が２０個、部分洗い洗剤ＡＺ２が２０個」７群で合計２００個、Ｂ：衣料用洗剤は「衣料用洗剤ＢＸ１が４０個、衣料用洗剤ＢＸ２が４０個、衣料用洗剤ＢＸ３が４０個、衣料用洗剤ＢＹ１が２０個、衣料用洗剤ＢＹ２が２０個、衣料用洗剤ＢＹ３が２０個、衣料用洗剤ＢＺ１が２０個」７群で合計２００個、Ｃ：自然派洗剤は「自然補助剤ＣＸ１が２０個、自然補助剤ＣＸ２が２０個、自然補助剤ＣＸ３が２０個、自然補助剤ＣＸ４が２０個、自然補助剤ＣＺ１が２０個、自然補助剤ＣＺ２が２０個」６群で合計１２０個、Ｄ：洗濯補助剤は「洗濯補助剤ＤＹ１が４０個、洗濯補助剤ＤＺ１が２０個、洗濯補助剤ＤＺ２が２０個」３群で合計８０個、Ｅ：おしゃれ着用洗剤は「おしゃれ着用洗剤ＥＸ１が８０個、おしゃれ着用洗剤ＥＸ２が８０個」２群で合計１６０個、Ｆ：漂白剤は「漂白剤ＦＸ１が２０個、漂白剤ＦＹ１が２０個」２群で合計４０個、Ｇ：柔軟剤は「柔軟剤ＧＸ１が２０個、柔軟剤ＧＸ２が２０個、柔軟剤ＧＸ３が２０個、柔軟剤ＧＸ４が２０個、柔軟剤ＧＹ１が２０個、柔軟剤ＧＹ２が２０個、柔軟剤ＧＺ１が２０個、柔軟剤ＧＺ２が２０個、柔軟剤ＧＺ３が４０個」９群で合計２００個に区分される。
【００２７】
次に、これらの３６群で総計１０００個の商品を陳列する陳列棚の２５段の棚に陳列する商品の種類を決定する。
具体的には、１段で４０個並べられるので、Ａ：部分洗い洗剤は７群で合計２００個で５段、Ｂ：衣料用洗剤は７群で合計２００個で５段、Ｃ：自然派洗剤は６群で合計１２０個で３段、Ｄ：洗濯補助剤は３群で合計８０個で２段、Ｅ：おしゃれ着用洗剤は２群で合計１６０個で４段、Ｆ：漂白剤は２群で合計４０個で１段、Ｇ：柔軟剤は９群で合計２００個で５段必要になるので、これを左上を始点として、左端の陳列棚の上から１段目から５段目までの５段（全段）には、Ａ：部分洗い洗剤を陳列し、左から２個目の陳列棚の上から１段目から５段目までの５段（全段）にはＢ：衣料用洗剤を陳列し、左から３個目の陳列棚の上から１段目から３段目までの３段にはＣ：自然派洗剤を陳列し、左から３個目の陳列棚の上から４段目から５段目までの２段にはＤ：洗濯補助剤を陳列し、左から４個目の陳列棚の上から１段目から４段目までの４段にはＥ：おしゃれ着用洗剤を陳列し、左から４個目の陳列棚の上から５段目のみの１段にはＦ：漂白剤を陳列し、左から５個目つまり右端の陳列棚の上から１段目から５段目までの５段（全段）にはＧ：柔軟剤を陳列するよう割り振る。
【００２８】
次に、先の棚と商品の種類の組み合わせを考慮して、３６群で総計１０００個の商品を２５段の棚のいずれの部分に並べるかを決定する。
部分洗い洗剤ＡＸ１（４０個）を左端の陳列棚の上から１段目に、部分洗い洗剤ＡＸ２（４０個）を左端の陳列棚の上から２段目に、部分洗い洗剤ＡＸ３（４０個）を左端の陳列棚の上から３段目に、部分洗い洗剤ＡＹ１（２０個）を左端の陳列棚の上から４段目の左半分に、部分洗い洗剤ＡＹ２（２０個）を左端の陳列棚の上から４段目の右半分に、部分洗い洗剤ＡＺ１（２０個）を左端の陳列棚の上から５段目の左半分に、部分洗い洗剤ＡＺ２（２０個）を左端の陳列棚の上から５段目の右半分に、衣料用洗剤ＢＸ１（４０個）を左から２個目の陳列棚の上から１段目に、衣料用洗剤ＢＸ２（４０個）を左から２個目の陳列棚の上から２段目に、衣料用洗剤ＢＸ３（４０個）を左から２個目の陳列棚の上から３段目に、衣料用洗剤ＢＹ１（２０個）を左から２個目の陳列棚の上から４段目の左半分に、衣料用洗剤ＢＹ２（２０個）を左から２個目の陳列棚の上から４段目の右半分に、衣料用洗剤ＢＹ３（２０個）を左から２個目の陳列棚の上から５段目の左半分に、衣料用洗剤ＢＺ１（２０個）を左から２個目の陳列棚の上から５段目の右半分に、自然補助剤ＣＸ１（２０個）を左から３個目の陳列棚の上から１段目の左半分に、自然補助剤ＣＸ２（２０個）を左から３個目の陳列棚の上から１段目の右半分に、自然補助剤ＣＸ３（２０個）を左から３個目の陳列棚の上から２段目の左半分に、自然補助剤ＣＸ４（２０個）を左から３個目の陳列棚の上から２段目の右半分に、自然補助剤ＣＺ１（２０個）を左から３個目の陳列棚の上から３段目の左半分に、自然補助剤ＣＺ２（２０個）を左から３個目の陳列棚の上から３段目の右半分に、洗濯補助剤ＤＹ１（４０個）を左から３個目の陳列棚の上から４段目に、洗濯補助剤ＤＺ１（２０個）を左から３個目の陳列棚の上から５段目の左半分に、洗濯補助剤ＤＺ２（２０個）を左から３個目の陳列棚の上から５段目の右半分に、おしゃれ着用洗剤ＥＸ１（８０個）を左から４個目の陳列棚の上から１段目と２段目に、おしゃれ着用洗剤ＥＸ２（８０個）を左から４個目の陳列棚の上から３段目と４段目に、漂白剤ＦＸ１（２０個）を左から４個目の陳列棚の上から５段目の左半分に、漂白剤ＦＹ１（２０個）を左から４個目の陳列棚の上から５段目の右半分に、柔軟剤ＧＸ１（２０個）を右端の陳列棚の上から１段目の左半分に、柔軟剤ＧＸ２（２０個）を右端の陳列棚の上から１段目の右半分に、柔軟剤ＧＸ３（２０個）を右端の陳列棚の上から２段目の左半分に、柔軟剤ＧＸ４（２０個）を右端の陳列棚の上から２段目の右半分に、柔軟剤ＧＹ１（２０個）を右端の陳列棚の上から３段目の左半分に、柔軟剤ＧＹ２（２０個）を右端の陳列棚の上から３段目の右半分に、柔軟剤ＧＺ１（２０個）を右端の陳列棚の上から４段目の左半分に、柔軟剤ＧＺ２（２０個）を右端の陳列棚の上から４段目の右半分に、柔軟剤ＧＺ３（４０個）を右端の陳列棚の上から５段目に陳列するよう割り振る。
【００２９】
次に、先に決定した棚毎の商品の種類と個別の商品群の配置決定に基づき、商品を棚に並べていく。この状態を示したのが、図５であり、この図５に示す陳列状態の商品陳列棚に対して、その目的に応じた表示を行うべく、本発明である表示装置を適宜設置する。
【００３０】
特定の大分類（クリーニング関連商品）の商品群を多数陳列した図５に示した商品陳列棚に陳列されている全商品を中分類（Ａ：部分洗い、Ｂ：衣料用洗剤、Ｃ：自然派洗剤、Ｄ：洗濯補助剤、Ｅ：おしゃれ着用洗剤、Ｆ：漂白剤、Ｇ：柔軟剤）程度で区分する分類にて表示する場合、例えば、左から１個目の陳列棚の全段には部分洗いの商品群が陳列されているので部分洗いの分類を表示するものとし、左から２個目の陳列棚の全段には衣料用洗剤の商品群が陳列されているので衣料用洗剤の分類を表示するものとし、左から３個目の陳列棚の最下段を除く４段には自然派洗剤の商品群が陳列されているのでこの陳列棚の主要商品を示すものとして自然派洗剤の分類を表示するものとし、左から４個目の陳列棚の最下段を除く４段にはおしゃれ着用洗剤の商品群が陳列されているのでこの陳列棚の主要商品を示すものとしておしゃれ着用洗剤の分類を表示するものとし、左から５個目つまり右端の陳列棚の全段には柔軟材の商品群が陳列されているので柔軟材の分類を表示するものとする。続いて、図６に示すように、客の通常の歩行進路がクリーニング関連商品のコーナーを左側から右側に動くとして、左から１個目の陳列棚の左側の支柱には部分洗いの表示を印刷した表示体を、左から２個目の陳列棚の左側の支柱には衣料用洗剤の表示を印刷した表示体を、左から３個目の陳列棚の左側の支柱には自然派洗剤の表示を印刷した表示体を、左から４個目の陳列棚の左側の支柱にはおしゃれ着用洗剤の表示を印刷した表示体を、右端の陳列棚の左側の支柱には柔軟剤の表示を印刷した表示体を取り付け、クリーニング関連商品のコーナーにおいて、どの位置の陳列棚には、主にどの分類の商品が陳列されているか示す。
【００３１】
このように表示装置を設置した後、店長等の責任者が通路側から店長が表示体を俯瞰し、「表示体を５ｃｍ下げろ、表示体の角度を通路と直角から１０度反らせろ」等と微調整の指示を行ない、張出腕２０のネジ２３を少し緩めて、表示体保持具３１，３２の垂直部分を上下方向にシフトさせたり、回転させたりして最終調整を行なう。上下方向に調整するときは、表示体４０の下端を開放しておき、高さ調整が完了した後に固定治具３３で再度挟んで固定すれば、表示体４０が破れたりすることがない。
【００３２】
また、特定の大分類（クリーニング関連商品）の商品を陳列した陳列棚に陳列されている全商品の中から売れ筋商品（例えば、衣料用洗剤）の所在を告知する場合、例えば、クリーニング関連商品のコーナーが５段の陳列棚が５列並んでおり、左から２個目の陳列棚には衣料用洗剤が全段並んでおり、ここに衣料用洗剤が並んでいることを強くアピールするため、左から２個目の陳列棚の左側の支柱に衣料用洗剤の表示を印刷した表示体のみを取り付けるか、図７に示すように、左から２個目の陳列棚を挟むように両側の支柱に衣料用洗剤の表示を印刷した二つの表示体を取り付けるか、或いは、先の説明で示したように左端から右端まで５個の陳列棚全てにそれぞれの主要商品を示す表示体を取り付けて、図８に示すように衣料用洗剤を示す表示体のみ赤等の他の表示体とは異なる目立つ色を基調色として、他の表示体はよりも目立つようにすることで、クリーニング関連商品のコーナーにおいて、左から２個目の陳列棚には、衣料用洗剤（売れ筋商品）が陳列されているかを強烈に示す。ここで、表示体を含む表示装置の取り付け、これに続く最終調整については、先の説明と同様である。
【００３３】
なお、小規模の商品売場において商品の数が少なく、陳列棚に陳列されている全商品を大分類（クリーニング関連商品、化粧品、下着、食料品等のカテゴリー）にて示す場合、例えば、クリーニング関連商品、化粧品、下着、食料品等の大分類を印刷した表示体を作製し、それぞれの大分類に属する商品群を陳列した陳列棚に先の説明と同様の方法で取り付け、これに続く最終調整を行なう。
【００３４】
【発明の効果】
本発明の陳列棚用表示装置は次のような効果を奏する。
【００３５】
第１に、この種の陳列棚用表示装置は、商品売場において既存設備の改造や工事をすることなく、容易に設置可能な構造とし、陳列の変更に素早く対応できるものとしなければならないが、本発明の陳列棚用表示装置は、上下一対の張出腕により支えられており、この張出腕はその後端に設けられたフック状の係止部により陳列棚に嵌合係止されるが、フック状の係止部は既存の陳列棚の構成部材に設けられている孔、溝等に嵌合可能な構造を採用することで、陳列棚さえあれば取り付けることができ、したがって、天井に吊下金具の孔をあけたり陳列棚に取付け用の治具を溶接したりする必要がなく、例えば支柱近傍の商品をのけて支柱の係止孔に張出腕を一対装着すればよく、陳列の変更に素早く対応できる。
【００３６】
第２に、この種の陳列棚用表示装置は、表示体と客が衝突して人身事故を引き起こすことがないよう、安全な構造を採用しなければならないが、本発明の陳列棚用表示装置は、張出腕に丸棒を加工した表示体保持具を取り付ける仕様としたので、通路を歩行する客が表示装置と接触する主要部分は、高い位置と低い位置に存在する丸棒の水平部分と柔らかいシート状の表示体となり、衝突しても人身事故にはならない。また、張出腕の先端に筒状体を取り付け、その筒状体に表示体保持具を挿入固定することにより、相当な衝撃でぶつかった場合でも、張出腕自体が脱落するよりも表示体保持具が筒状体内で回転するか、ずれるか、曲がるかなりして衝撃を吸収するので、張出腕ごと落下して客を直撃することも起こり難い。
【００３７】
第３に、この種の陳列棚用表示装置は、売場内の通路を歩行中の客が一目で認識できる、所謂アイキャッチ性の優れたものでなければならないが、本発明の陳列棚用表示装置を用いることにより、店内を歩行する客は、通路に沿って店内を歩行する時に向き合った方向に配置された表示体が視覚に入るので、この表示装置により表示される情報を必ず見ることになる。そして、この情報を見ながら視線を横にして棚正面を見ることになり、その結果、通常の棚板前端に設けられたプライスカード等の表示カード及び商品パッケージが視覚に入って来るので、アイキャッチ性に優れる。特に、棚のほぼ全高さに表示体を設けることができるので、表示する情報を大きくすることができ、この点でもアイキャッチ性を高めることができる。
【００３８】
第４に、この種の陳列棚用表示装置は、店側の要望に応じて、棚の所望の位置、所望の高さに取り付けられるものでなければならないが、本発明の陳列棚用表示装置は、張出腕と表示体保持具を別体として張出腕の先端部で表示体保持具を高さ位置が調整可能に固定できる仕様としたことで、張出腕自体は装着固定したままでも、表示体保持具を上下にシフトさせたり回転させたりできるので、店側の細かい要求に応じた所望の位置、高さへの表示体の取り付けができる。さらに、天井が低い、空調のタグトが張り出しているなどの理由で、棚の最上段は、単なるほこり除けの天板として利用し、２段目から商品を陳列するような場合があるが、こうした場合に、２段目の棚の上の支柱に張出腕を取りつけなければならない場合が生じるが、張出腕は水平に延伸するので、最上段の棚と干渉することがなく、棚の前端部に張出腕の先端がくる長さとすれば、表示体保持具と最上段の棚が干渉することがない。具体的には、本発明の表示装置を取り付けるにあたって、張出腕は棚と棚との間に装着して問題ない。また、アイキャッチ性、意匠性は劣るが、売れ筋商品が５段の棚の２、３、４段に陳列されている場合、この段の空間の高さのみの表示体を取り付けることもできる。
【００３９】
第５に、この種の陳列棚用表示装置は、表示体が商品を陳列する売場のイメージを損なうものであってはならないが、本発明の陳列棚用表示装置は、棚に装着する仕様となっており、棚と表示体は一体となることから、棚に表示装置が装着された状態で全体的な意匠性を醸し出すので、全体的に統一感を持たせることができる。
【図面の簡単な説明】
【図１】本発明に係る陳列棚用表示装置の一例を商品棚に設置した状態で示す側面図である。
【図２】上側の張出腕を破断状態で拡大して示す斜視図である。
【図３】表示体を支持する部分を拡大して示す斜視図である。
【図４】上側の張出腕の別形態を破断状態で拡大して示す斜視図である。
【図５】商品陳列棚に商品の種類に区分して陳列した状態を示す正面図である。
【図６】本発明に係る陳列棚用表示装置を商品棚に設置した第一例を示す斜視図である。
【図７】本発明に係る陳列棚用表示装置を商品棚に設置した第二例を示す斜視図である。
【図８】本発明に係る陳列棚用表示装置を商品棚に設置した第三例を示す斜視図である。
【符号の説明】
１０  支柱
１１  支持腕
１２  棚板
１３  基台
２０  張出腕
２１  係止部
２２  筒状体
２３  ネジ
３１，３２  表示体保持具
３３  固定治具
４０  表示体
【図１】
2004187760.tif 000003
【図２】
2004187760.tif 000004
【図３】
2004187760.tif 000005
【図４】
2004187760.tif 000006
【図５】
2004187760.tif 000007
【図６】
2004187760.tif 000008
【図７】
2004187760.tif 000009
【図８】
2004187760.tif 000010